(57)【要約】【課題】  雨水の浸入を防止できるとともに、通気工法と直張り工法の両方に使用できる。【解決手段】  垂直片３と、垂直片３の高さ方向途中から突出する水平片７と、水平片７の先端から垂下する垂下片１５と、垂下片１５の先端から外方で斜め下に突出する傾斜片２４と、傾斜片２４の先端から下方に延長する下方延長片３０とを有するとともに、垂直片３、水平片７および垂下片１５で囲まれた空間３４内に垂直片３と垂下片１５から互い違いに下方に傾斜する突出片３６を設け、かつ水平片７に複数の孔１３を穿つ。【選択図】              図１
2007092334.tif 000002
【特許請求の範囲】
【請求項１】
垂直片と、該垂直片の高さ方向途中から突出する水平片と、該水平片の先端から垂下する垂下片と、該垂下片の先端から外方で斜め下に突出する傾斜片と、該傾斜片の先端から下方に延長する下方延長片とを有するとともに、前記垂直片、水平片および垂下片で囲まれた空間内に前記垂直片と前記垂下片から互い違いに下方に傾斜する突出片を設け、かつ前記水平片に複数の孔を穿ったことを特徴とする水切り部材。
【請求項２】
建物の外壁の水切り構造であって、請求項１に記載の水切り部材を使用し、該水切り部材の垂直片を前記建物の躯体の外表面または該躯体の外側に設けた胴縁の外表面に固定するとともに、外壁板の下端を少なくとも前記水切り部材の水平片の表面に当接させるとともに、前記外壁板を前記垂直片の外表面および前記躯体の外表面を覆うように、または前記垂直片の外表面および前記胴縁の外表面を覆うように設けることを特徴とする水切り構造。
【発明の詳細な説明】
【技術分野】
【０００１】
本発明は、建物の外壁の直張り工法または通気工法に使用する水切り部材およびこれを使用する水切り構造に関する。
【背景技術】
【０００２】
建物の外壁に使用する水切り部材およびこれを使用する水切り構造としては、下記特許文献１に記載されたものが知られている。この水切り部材は、外壁板に取り付けられる垂直な取付片と、この取付片の内側より外壁板内側から遠ざかる方向に水平片を突設するとともに、この水平片の内端を下方に屈成して垂下片を形成している。垂下片は土台に密着するように固定される。さらにこの垂下片の下端を外方の斜下方向に前記取付片下端より突出させて形成した水切り片とからなる。さらにこの水切り部材は、取付片の下端部より外方水平方向に延出する外壁板載置部を形成してなる。
【特許文献１】実公平２−１９４５１号公報
【発明の開示】
【発明が解決しようとする課題】
【０００３】
しかしながら、上記水切り部材は、取付片が胴縁に取り付けられ、かつ水平片が取付片の内側より外壁板内側から遠ざかる方向に突設され、垂直片が土台に固定されるものであるから、外壁板は土台の外表面に一致する垂直面に対して離れた位置に配置される。すなわち、この水切り部材は外壁板を土台の外表面に一致する垂直面に直接固定することができない直張り不可の形状である。
【０００４】
さらに、この水切り部材を使用した水切り構造は、通気用の空気が外壁板載置部と水切り片の間および邪魔板間を通り、かつ水平片に穿たれた通気孔を通って流れるようになるので、通気の抵抗が大きく通気量が少なくなることも考えられる。
【０００５】
本発明が解決しようとする課題は、雨水の浸入を防止できるとともに、通気工法と直張り工法の両方に使用できることである。
【課題を解決するための手段】
【０００６】
上記課題を解決するため本発明の水切り部材は、垂直片と、該垂直片の高さ方向途中から突出する水平片と、該水平片の先端から垂下する垂下片と、該垂下片の先端から外方で斜め下に突出する傾斜片と、該傾斜片の先端から下方に延長する下方延長片とを有するとともに、前記垂直片、水平片および垂下片で囲まれた空間内に前記垂直片と前記垂下片から互い違いに下方に傾斜する突出片を設け、かつ前記水平片に複数の孔を穿ったことを特徴とする。
【０００７】
このようにすることにより、本発明の水切り部材は、直張り工法と通気工法の両方に使用することができる。
【０００８】
また、本発明の水切り構造は、建物の外壁の水切り構造であって、上記記載の水切り部材を使用し、該水切り部材の垂直片を前記建物の躯体の外表面または該躯体の外側に設けた胴縁の外表面に固定するとともに、外壁板の下端を少なくとも前記水切り部材の水平片の表面に当接させるとともに、前記外壁板を前記垂直片の外表面および前記躯体の外表面を覆うように、または前記垂直片の外表面および前記胴縁の外表面を覆うように設けることを特徴とする。
【０００９】
外壁板を躯体に直接固定する直張り工法に本発明の水切り部材を使用する場合は、水切り部材の垂直片を躯体外表面に釘などの固定手段により固定し、かつ外壁板を水切り部材の垂直片の外表面に当接させつつ下端を少なくとも水平片の表面に当接ないし載置し固定する。こうすると結露その他の何らかの原因で外壁板の内側に発生した水は外壁板の内側と垂直片の外表面を伝わり水平片に穿った孔から外部に放出される。一方、台風や強風雨天の際に基礎外表面から吹き上がる風と水は、互い違いに設けられた突出片に妨げられ、外壁板内ないしその内側に侵入しにくく、直張り工法における雨水の浸入を防止できる。
【００１０】
一方、外壁板を躯体に対して胴縁を介して固定する通気工法に本発明の水切り部材を使用する場合は、水切り部材の垂直片を胴縁外表面に釘などの固定手段により固定し、かつ外壁板を水切り部材の垂直片の外表面に当接させつつその下端を水平片の表面に当接ないし載置し固定する。こうすると結露その他の何らかの原因で外壁板の内側に発生した水の一部は外壁板の内側と垂直片の外表面を伝わり水平片に穿った孔から外部に放出される。外壁板の内側に発生した水の他の一部は躯体と外壁板との間の通気用隙間から外部に放出される。
【００１１】
一方、台風や強風雨天の際に基礎外表面から吹き上がる風と水は、互い違いに設けられた突出片に妨げられ、垂直片と外壁板との間の隙間に侵入しにくい。また、台風や強風雨天の際に基礎外表面から吹き上がる風と水は、躯体と外壁板との間の通気用隙間に吹き込むが下端が開口しているので直ちに排水される。したがって、通気工法の場合においても、雨水の浸入を防止できるとともに、通気量を十分に確保できる。
【００１２】
次に本発明を構成する各要件についてさらに詳しく説明する。本発明の水切り部材は、建物、特に集合住宅や戸建て住宅の外壁の水切り部材として使用される。外壁の構成は、主として基礎の上に固定される躯体、たとえば土台やこの土台に対して垂直に固定される柱や間柱（これらを「柱」と云う。）と、これら土台や柱の外側に直接または胴縁などを介して張られる外壁板とから形成される。
【００１３】
外壁板は、たとえば下地板または窯業系サイディングから形成される。下地板は、たとえば合板やＭＤＦ（または繊維板）などの基板と、その表面に設けられる防水層と、さらにこの防水層の上に設けられる凹凸層とを有するものを使用すると良い。下地板の凹凸層の表面にはモルタル層が設けられるが、このモルタル層は、現場で塗布される場合と、工場で予め下地板に塗布される場合とがある。
【００１４】
水切り部材は、アルミニウム合金、その他の金属、硬質合成樹脂などで形成される。水切り部材における垂直片は、その高さが土台の高さ範囲内になるようにすると良い。高さが大き過ぎると施工時に取扱いおよび施工が困難になる。水平片は、垂直片の高さ方向途中から突出するように設けられるが、少なくとも垂直片に設ける取付孔より下方位置から突出し、できれば垂直片の下端寄りに突出するように設けられると良い。こうすることにより水平片から上方の垂直片部分の高さを大きくし、雨水などの水が外壁板と柱の間などに浸入しにくくする。水平片には複数の孔が穿たれるが、その数は落下する水が排出できる適宜の数とする。垂下片の高さ寸法は、水平片が突出する垂直片の高さ方向途中から下の部分の高さ寸法に略一致させる。
【００１５】
傾斜片は、外方斜め下側に突出し、かつ少なくとも外壁板の表面より突出するように形成される。傾斜角度は、凡そ１０〜１５度とする。こうすることにより雨水などが外壁板の内側に回り込むことを防止する。下方延長片は、ある程度の長さ、たとえば２５〜７５ｍｍ程度の長さとし、傾斜片とともに雨水などの外壁板内側への回り込みを防止する。下方延長片は通常垂直、すなわち傾斜片と下方延長片との内角θが１００〜１０５度であるが、必ずしも垂直である必要はない。
【００１６】
垂直片、水平片および垂下片で囲まれる空間内に設けられる突出片は、垂直片または垂下片の内壁から互い違いまたは千鳥状に突出するように設けられる。その突出方向は斜め下向きとし、水の排出ができるように形成する。突出片の先端と垂直片または垂下片の内壁との間の隙間は極力小さくし、下方からの吹き込みによる水の浸入を阻止するようにする。
【発明の効果】
【００１７】
本発明の水切り部材は、直張り工法と通気工法の両方に利用することができる。さらに、この水切り部材を使用した水切り構造は、雨水の浸入を防止できるとともに、通気工法に使用した場合には通気量を十分に確保できる。
【発明を実施するための最良の形態】
【００１８】
以下、本発明に係る水切り部材および水切り構造の実施形態を図面に基いて詳細に説明する。なお、図１〜６において、同一または同等部分には同一符号を付けて示す。
【実施例１】
【００１９】
図１は、本発明に係る水切り部材の一実施形態を示す横断面図である。図２は、図１における水切り部材を示し、（ａ）は平面図、（ｂ）は正面図である。図２において、長さＬは縮小した状態で示されている。本実施形態における水切り部材１は、アルミニウム合金製の押出形材であり、その形状は、垂直片３と、垂直片３の高さ方向途中から突出する水平片７と、水平片７の先端９から垂下する垂下片１５とを有する。さらに、水切り部材１は、垂下片１５の先端１７から外方で斜め下に突出する傾斜片２４と、傾斜片２４の先端２６から下方に延長する下方延長片３０とを有する。
【００２０】
さらに、水切り部材１は、垂直片３、水平片７および垂下片１５で囲まれた空間３４内に垂直片３と垂下片１５から互い違いに下方に傾斜する突出片３６を設け、かつ水平片７に複数の孔１３が穿たれる。孔１３の数は、その合計面積が結露水または浸入水を排出できる大きさとなるように決められるが、たとえば２０ｍｍピッチで穿っても良い。また、垂下片の先端１７および下方延長片の先端３１に延長して、おのおの鉤形の係止突起２１、３２を形成する。鉤形の係止突起２１、３２は、後述の連結部材３９を使用して水切り部材１同士を連結するための溝２１ａ、３２ａを形成している。
【００２１】
垂直片３と垂下片１５は、上下方向に垂直に位置して使用される。水平片７は、当然垂直片３と垂下片１５に直交し水平に位置する。傾斜片２４は、垂下片の先端１７から外方で斜め下に突出するが、水平との角度は本実施形態の場合１１〜１２度とされる。下方延長片３０は、傾斜片とのなす内角θが１０１〜１０２度である。なお、垂直片３には躯体に対して釘、ビスなどで固定するための取付孔５（図２（ｂ））が複数形成される。
【００２２】
空間３４に設ける突出片３６は、結露水や浸入水を排出するように下方に傾斜させるが、その水平との角度は適宜とし、たとえば水平との角度を１０〜１５度程度とする。
【００２３】
図３は、図１に示す水切り部材１同士を連結するための連結部材３９を示し、（ａ）は側面図、（ｂ）は正面図である。水切り部材１同士は、連結部材３９を使用して連結される。連結部材３９は、先に説明した水切り部材の傾斜片２４と下方延長片３０とのなす内角θに一致する第１片４０および第２片４１を有する。水切り部材１同士を連結する際は、二つの水切り部材１の突合せ部分において、第１片の先端４０ａを図１に示した溝２１ａに、第２片の先端４１ａを図１に示した溝３２ａに嵌合させるとともに、この連結部材３９自体を二つの水切り部材１に跨らせることにより連結される。
【００２４】
図４は、図１〜３に示した水切り部材１を直張り工法に使用した状態の横断面図である。外壁の直張り工法は、外壁板４７を躯体、すなわち基礎６８の上に固定された土台６１や柱６５に対して縦胴縁（または横胴縁）などを介さずに直接張り付ける工法である。
【００２５】
次に、上記直張り工法の施工手順について説明する。水切り部材１は、その垂直片３が釘３８により土台６１に固定される。さらに、垂直片３の外表面、垂直片３で覆われていない土台の外表面６３および柱の外表面６６に防水紙４６が貼着される。防水紙４６の下端は水平片７の近くまで貼着されると良い。
【００２６】
次に、防水紙４６の外側を覆うように外壁板４７が設けられる。外壁板４７は、下地板４９と、この表面に設けられる軽量モルタル層５６とから形成される。最初に、下地板４９を防水紙４６の外側を覆うように設けられる。下地板４９の下端４８は水平片７の表面に当接ないし載置される。下地板４９の下端と水切り部材の水平片７との間はコーキング材５８でシーリングされる。
【００２７】
下地板４９は、たとえば合板やＭＤＦ（または繊維板）などの基板５０と、この表面に設けられる防水層５２と、さらにこの防水層５２の上に設けられる凹凸層５４とから形成される。基板５０の表面に設けられる防水層５２は、合成樹脂、合成ゴムラテックス、それらのエマルジョンのいずれかを単独または任意混合してなる防水剤を塗布し乾燥することにより形成される。防水層５２の上に設けられる凹凸層５４は、ポルトランドセメント、白色セメントなどのセメントと、合成樹脂、ラテックスまたは瀝青質物質と、炭酸カルシウム、珪砂などの骨材と、メチルセルロース、界面活性剤、消泡剤などの成形助剤と、水との混合物を塗布し乾燥させることにより形成される。
【００２８】
さらに、上記凹凸層５４の表面には軽量モルタル層５６が設けられる。本実施形態において、軽量モルタル層５６は、現場で塗布されるが、これを工場で予め下地板に塗布したものを躯体に固定しても良い。また、水切り部材１は、先に記したように、連結部材３９を介して連結される。
【００２９】
図５は、図１、２に示した水切り部材１を通気工法に使用した状態の横断面図である。外壁の通気工法は、外壁板４７を躯体（土台６１や柱６５）の外表面に固定した通気用の縦胴縁（または横胴縁）４２に張り付ける工法である。この際、土台６１や柱６５と縦胴縁４２との間に防水紙４６を介在させる。
【００３０】
上記通気工法において、水切り部材１は、その垂直片３が釘３８により縦胴縁４２に固定される。さらに、垂直片３および垂直片３で覆われていない縦胴縁の外表面４４を覆うように外壁板４７が設けられる。このようにすることにより躯体に貼られた防水紙４６と外壁板４７との間に通気用の隙間が形成される。外壁板４７の構造は、先に直張り工法で説明した外壁板の構造と同じで、下地板４９およびこの表面に設けられる軽量モルタル層５６から形成され、その形成方法も、上記直張り工法の場合と同じであるので、その説明を省略する。
【００３１】
以上の構造を有する水切り部材１およびこれを使用した水切り構造の作用について説明する。先ず、本水切り部材１は、図４、５に示すように、直張り工法と通気工法の双方に使用することができる。図４に示すように、水切り部材１を直張り工法に使用した場合は、結露その他の何らかの原因で防水紙４６と外壁板４７との間に発生した水は外壁板４７の内側を伝わり水平片に穿った孔１３から外部に放出される。一方、台風や強風雨天の際に基礎６８表面から吹き上がる風雨は、互い違いに設けられた突出片３６によって妨げられ、防水紙４６と外壁板４７との間の隙間に侵入しにくく、直張り工法における雨水の浸入を防止できる。
【００３２】
図５に示すように、外壁板４７を土台６１や柱６５などの躯体に対して縦胴縁４２を介して固定する通気工法においては、垂直片３を縦胴縁外表面４４に釘３８などにより固定し、かつ外壁板４７で垂直片３の外表面および縦胴縁の外表面を覆いつつ、その下端４８を水平片７の表面に当接ないし載置させて固定する。こうすると結露その他の何らかの原因で外壁板４７の内壁面に発生した水の一部は垂直片３と外壁板との間の隙間に浸入するが、その水は水平片７に穿った孔１３から外部に放出される。また、外壁板４７の内側に発生した水の他の一部は躯体と外壁板４７との間の通気用隙間から外部に放出される。
【００３３】
一方、台風や強風雨天の際に、基礎６８表面から吹き上がった風雨は、互い違いに設けられた突出片３６に妨げられ、垂直片３と外壁板４７との間の隙間に侵入しにくい。また、台風や強風雨天の際に、基礎６８表面から吹き上がった風雨は、躯体と外壁板４７との間の通気用隙間に吹き込むが下端が開口しているので直ちに排水される。したがって、通気工法の場合においても、雨水の浸入を防止できるとともに、通気量を十分に確保できる。
【００３４】
図６は、本発明に係る水切り部材の他の実施形態を示す横断面図である。水切り部材２の形状は、図１〜５に示した水切り部材１とほとんど同じであるが、相違する箇所は、係止突起２１の先端に吹上げ防止片２２を延長した点である。吹上げ防止片２２は、係止突起２１の先端から垂直片３側に斜め下方に延長する板状突起である。その長さと傾斜角度は適宜のものとするが、たとえば長さ５ｍｍ前後、傾斜角度は水平に対して４５度前後である。
【００３５】
吹上げ防止片２２を設けることにより、この水切り部材２を図４に示した直張り工法または図５に示した通気工法に使用した場合、基礎６８に衝突して下方延長片３０側に反射した風雨を吹上げ防止片２２で下方に反射するので、垂直片の外表面に設けた防水紙４６と外壁板４７との間の隙間、または垂直片３と外壁板４７との間の隙間に吹き込むことが無い。図６におけるその他の部分の構造と作用は、図１〜５に示した水切り部材１と同じであるので、その説明を省略する。
【００３６】
以上この発明を図示の実施例について詳しく説明したが、それを以ってこの発明をそれらの実施例のみに限定するものではない。要するに、この発明の精神を逸脱せずして種々改変を加えて多種多様の変形をなし得ることは云うまでもない。
【産業上の利用可能性】
【００３７】
本発明の水切り部材は、建物外壁の直張りまたは通気の両工法に利用可能である。
【図面の簡単な説明】
【００３８】
【図１】本発明に係る水切り部材の一実施形態を示す横断面図である。
【図２】図１における水切り部材を示し、（ａ）は平面図、（ｂ）は正面図である。
【図３】図１に示す水切り部材を連結するための連結部材を示し、（ａ）は側面図、（ｂ）は正面図である。
【図４】図１〜３に示した水切り部材を直張り工法に使用した状態の横断面図である。
【図５】図１、２に示した水切り部材を通気工法に使用した状態の横断面図である。
【図６】本発明に係る水切り部材の他の実施形態を示す横断面図である。
【符号の説明】
【００３９】
１  水切り部材
３  垂直片
４  外表面
７  水平片
９  先端
１３  孔
１５  垂下片
１７  先端
２１  係止突起
２２  吹上げ防止片
２４  傾斜片
２６  先端
３０  下方延長片
３２  係止突起
３４  空間
３６  突出片
４２  縦胴縁（胴縁）
４４  外表面
４７  外壁板
６１  土台（躯体）
６３  外表面
６５  柱（躯体）
６６  外表面
【図１】
2007092334.tif 000003
【図２】
2007092334.tif 000004
【図３】
2007092334.tif 000005
【図４】
2007092334.tif 000006
【図５】
2007092334.tif 000007
【図６】
2007092334.tif 000008